(57)【要約】【課題】現像装置では、現像器に装着するトナーカートリッジを着脱自在とし、着脱に応じてトナーカートリッジのトナー供給口をシャッタで開閉しているが、トナー供給口付近や、シャッタの外側にトナーが付着し、付着したトナーが外部に飛散する問題があった。【解決手段】トナー供給口１２が形成され、トナーを収容するアウターカートリッジ１１と、トナー供給口１２を、塞ぐ閉鎖位置と開く開放位置とを取るシャッタ５とを有し、シャッタ５が、閉鎖位置においてトナー供給口１２を塞ぐシール部と、開方向へ延在する延長部１９ａとを有するシールスポンジ１９備え、閉鎖位置での、トナー供給口１２の開方向端部から延長部１９ａの先端までの距離が、閉鎖位置でトナー供給口１２から露出しているシールスポンジ１９の開方向端部が開放位置まで移動したときの前記開方向端部からの距離より長くなるように形成する。【選択図】図３
2008209865.tif 000002
【特許請求の範囲】
【請求項１】
現像器に着脱自在に装着される現像剤収容器において、
第１の開口が形成され、現像剤を収容する現像剤収容体と、
前記現像剤収容体の内部にあって、前記第１の開口が形成された内壁面に沿って移動可能に保持されて、前記第１の開口を塞ぐ閉鎖位置と前記第１の開口を開く開放位置とを取り得るシャッタ部材と
を有し、
前記シャッタ部材は、前記閉鎖位置において少なくとも前記第１の開口の内側に沿って設けられるシール部と、前記シール部から、前記第１の開口を開くために前記シャッタ部材が移動する方向である開方向へ延在する延長部とを有する第１のシール部材を備え、
前記閉鎖位置での、前記第１の開口の前記開方向端部から前記延長部の先端までの距離が、前記閉鎖位置で前記第１の開口から露出している前記第１のシール部材の前記開方向端部が前記開放位置まで移動したときの移動距離より長いことを特徴とする現像剤収容器。
【請求項２】
前記シャッタ部材は、前記開放位置において前記現像剤収容体の前記第１の開口に対向する位置に第２の開口を有し、前記第２の開口は前記第１の開口より小さいことを特徴とする請求項１記載の現像剤収容器。
【請求項３】
前記第１の開口の周囲に、面が外方に向いた傾斜面が形成されたことを特徴とする請求項１記載の現像剤収容器。
【請求項４】
前記シャッタ部材は、前記開放位置において、前記現像剤収容体の前記第１の開口に対向する位置に第２の開口を有し、
前記第１の開口は、前記シャッタ部材が前記開放位置にあるとき、前記開方向の上流側側部が前記第２の開口と一致し、前記開方向の下流側側部が前記第２の開口より下流側に位置するように形成され、前記第１の開口の前記上流側側部に、面が外方に向いた傾斜面が形成されたことを特徴とする請求項１記載の現像剤収容器。
【請求項５】
現像器に着脱自在に装着される現像剤収容器において、
第１の開口が形成され、現像剤を収容する現像剤収容体と、
前記現像剤収容体の内部にあって、前記第１の開口が形成された内壁面に沿って移動可能に保持されて、前記第１の開口を塞ぐ閉鎖位置と前記第１の開口を開く開放位置とを取り得るシャッタ部材と
を有し、
前記シャッタ部材は、前記閉鎖位置において少なくとも前記第１の開口を塞ぐ第１のシール部材と、前記開放位置において前記現像剤収容体の前記第１の開口に対向する位置に第２の開口とを備え、
前記第２の開口は前記第１の開口より小さいことを特徴とする現像剤収容器。
【請求項６】
請求項２又は５記載の現像剤収容器を着脱可能な収容器装着部を備えた現像器において、
前記収容器装着部は、
前記第１の開口に対向する位置に形成された第３の開口と、
前記第３の開口の外周に配設された第２のシール部材と
を有し、
前記現像剤収容器を前記収容器装着部に装着したとき、前記第２のシール部材の内周が前記シャッタ部材の前記第２の開口と略一致し、前記第２のシール部材が前記シャッタ部材に当接することを特徴とする現像器。
【請求項７】
前記第２のシール部材の外周は、前記現像剤収容体の前記第１の開口よりも小さいことを特徴とする請求項６記載の現像器。
【請求項８】
現像器に着脱自在に装着される現像剤収容器において、
第１の開口が形成され、現像剤を収容する現像剤収容体と、
前記現像剤収容体の内部にあって、前記第１の開口が形成された内壁面と摺動可能に保持されて、前記第１の開口を塞ぐ閉鎖位置と前記第１の開口を開く開放位置とを取り得るシャッタ部材と
を有し、
前記シャッタ部材は、前記閉鎖位置において前記第１の開口を塞ぐ第１のシール部材を備え、
前記第１の開口の周囲に、面が外方に向いた傾斜面が形成されたことを特徴とする現像剤収容器。
【請求項９】
請求項３又は８記載の現像剤収容器を着脱可能な収容器装着部を備えた現像器において、
前記収容器装着部は、
前記第１の開口に対向する位置に形成された第３の開口と、
前記第３の開口の外周に配設された第２のシール部材と
を有し、
前記現像剤収容器を前記収容器装着部に装着したとき、前記第２のシール部材の内周が前記現像剤収容体の前記第１の開口と略一致し、前記第２のシール部材が前記現像剤収容器の前記傾斜面に当接することを特徴とする現像器。
【請求項１０】
現像器に着脱自在に装着される現像剤収容器において、
第１の開口が形成され、現像剤を収容する現像剤収容体と、
前記現像剤収容体の内部にあって、前記第１の開口が形成された内壁面と摺動可能に保持されて、前記第１の開口を塞ぐ閉鎖位置と前記第１の開口を開く開放位置とを取り得るシャッタ部材と
を有し、
前記シャッタ部材は、前記閉鎖位置において前記第１の開口を塞ぐ第１のシール部材と、前記開放位置において前記現像剤収容体の前記第１の開口に対向する位置に第２の開口を有し、
前記第１の開口は、前記シャッタ部材が前記開放位置にあるとき、前記開方向の上流側側部が前記第２の開口と一致し、前記開方向の下流側側部が前記第２の開口より下流側に位置するように形成され、前記第１の開口の前記上流側側部に、面が外方に向いた傾斜面が形成されたことを特徴とする現像剤収容器。
【請求項１１】
請求項４又は１０記載の現像剤収容器を着脱可能な収容器装着部を備えた現像器において、
前記収容器装着部は、
前記第１の開口に対向する位置に形成された第３の開口と、
前記第３の開口の外周に配設された第２のシール部材と
を有し、
前記現像剤収容器を前記収容器装着部に装着したとき、前記シャッタ部材の前記第２の開口の前記開方向の下流側では、前記下流側側部が前記第２のシール部材の内周と略一致し、且つ前記第２のシール部材が前記シャッタ部材に当接し、
前記シャッタ部材の前記第２の開口の前記開方向の上流側では、前記第２のシール部材の内周が前記現像剤収容体の前記第１の開口と略一致し、前記第２のシール部材が前記現像剤収容器の前記傾斜面に当接することを特徴とする現像器。
【請求項１２】
請求項６又は７記載の現像器と請求項２又は５記載の現像剤収容器を使用したことを特徴とする現像装置。
【請求項１３】
請求項９記載の現像器と請求項３又は８記載の現像剤収容器を使用したことを特徴とする現像装置。
【請求項１４】
請求項１１記載の現像器と請求項４又は１０記載の現像剤収容器を使用したことを特徴とする現像装置。
【請求項１５】
請求項１２乃至１４の何れかに記載の現像装置を搭載することを特徴とする画像形成装置。
【発明の詳細な説明】
【技術分野】
【０００１】
本発明は、感光体上に形成された静電潜像に現像剤を付着させて現像する現像装置に使用される現像剤収容器、現像器、及びこの現像装置を採用する画像形成装置に関する。
【背景技術】
【０００２】
従来のトナーカートリッジは、トナー供給口を有して内部にトナーを収容するアウターカートリッジと、閉鎖位置ではアウターカートリッジのトナー供給口をシールスポンジにより包囲してトナー供給口の開閉を行うシャッタとを有し、トナーカートリッジが現像器に装着されてトナー供給口を開ける際には、シャッタを、アウターカートリッジのトナー供給口にシャッタの開ロ部を合わせる開放位置とすることにより、トナーを現像器に供給するものであった。
（例えば、特許文献１参照）。
【０００３】
【特許文献１】特開２００６―２４３４４８号公報（第６頁、図１）
【発明の開示】
【発明が解決しようとする課題】
【０００４】
しかしながら、上記構成の従来のトナーカートリッジでは、シャッタが備えるシールスポンジの表面とアウターカートリッジのトナー供給ロ周辺にトナーが付着し、現像器から取り外すときにトナーが飛散して周囲が汚れるという問題があった。
【０００５】
本発明の目的は、上記問題点を解消し、現像器に対してトナーカートリッジを着脱する際に、トナーの飛散による汚れを防止できる現像剤収容器、現像器、現像装置及び画像形成装置を提供することにある。
【課題を解決するための手段】
【０００６】
本発明による現像剤収容器は、現像器に着脱自在に装着される現像剤収容器において、
第１の開口が形成され、現像剤を収容する現像剤収容体と、前記現像剤収容体の内部にあって、前記第１の開口が形成された内壁面に沿って移動可能に保持されて、前記第１の開口を塞ぐ閉鎖位置と前記第１の開口を開く開放位置とを取り得るシャッタ部材とを有し、
前記シャッタ部材は、前記閉鎖位置において少なくとも前記第１の開口の内側に沿って設けられるシール部と、前記シール部から、前記第１の開口を開くために前記シャッタ部材が移動する方向である開方向へ延在する延長部とを有する第１のシール部材を備え、
前記閉鎖位置での、前記第１の開口の前記開方向端部から前記延長部の先端までの距離が、前記閉鎖位置で前記第１の開口から露出している前記第１のシール部材の前記開方向端部が前記開放位置まで移動したときの移動距離より長いことを特徴とする。
【０００７】
本発明による別の現像剤収容器は、現像器に着脱自在に装着される現像剤収容器であって、
第１の開口が形成され、現像剤を収容する現像剤収容体と、前記現像剤収容体の内部にあって、前記第１の開口が形成された内壁面に沿って移動可能に保持されて、前記第１の開口を塞ぐ閉鎖位置と前記第１の開口を開く開放位置とを取り得るシャッタ部材とを有し、
前記シャッタ部材は、前記閉鎖位置において少なくとも前記第１の開口を塞ぐ第１のシール部材と、前記開放位置において前記現像剤収容体の前記第１の開口に対向する位置に第２の開口とを備え、
前記第２の開口は前記第１の開口より小さいことを特徴とする。
【０００８】
本発明による現像器は、上記現像剤収容器を着脱可能な収容器装着部を備えた現像器であって、
前記収容器装着部は、前記第１の開口に対向する位置に形成された第３の開口と、前記第３の開口の外周に配設された第２のシール部材とを有し、
前記現像剤収容器を前記収容器装着部に装着したとき、前記第２のシール部材の内周が前記シャッタ部材の前記第２の開口と略一致し、前記第２のシール部材が前記シャッタ部材に当接することを特徴とする。
【０００９】
本発明による現像装置は、上記現像剤収容器と上記現像器とを使用したことを特徴とし、本発明による画像形成装置は、上記現像装置を搭載することを特徴とする。
【発明の効果】
【００１０】
本発明によれば、現像剤収容器のシャッタ部材のシール部材の外側表面や、開口部周辺に現像剤が付着するのを防止し、現像剤収容器から現像剤が飛散するのを防ぐことが可能となる。
【発明を実施するための最良の形態】
【００１１】
実施の形態１．
図１は、本発明に基づく実施の形態１の画像形成装置の要部構成を示す要部構成図である。
【００１２】
同図において、画像形成装置６０１は、ブラック（Ｋ）、イエロー（Ｙ）、マゼンタ（Ｍ）、シアン（Ｃ）の４色を印刷可能なカラー電子写真プリンタとしての構成を備え、ロワーカバー６０２と、ロワーカバー６０２に対して支軸６０３を中心に回動して分割面６０４を境に開閉自在なアッパーカバー６０５とを有し、アッパーカバー６０５には、印刷済みの記録用紙が排出されるスタッカ６０６が設けてある。ロワーカバー６０２の内部には、給紙ローラ６０７〜６１０を有する概ねＳ字状の用紙搬送路６１１が形成されており、この用紙搬送路６１１の上流側端部には、記録用紙を収納する給紙カセット６１２が配置され、下流側端部には前記したスタッカ６０６が位置する。
【００１３】
用紙搬送路６１１には、給紙カセット６１２から記録用紙を繰り出す用紙繰り出し部６１３、繰り出された記録用紙を静電効果により転写ベルト６１４に付着させて搬送する転写ベルトユニット６１５、及び後述するように記録用紙に形成されたトナー画像を記録用紙に定着させる定着部６１６が設けられている。転写ベルトユニット６１５とによって、転写ベルト６１４の移動路上の用紙搬送路６１１を挟む位置に、記録用紙の搬送方向上流側より順にブラック（Ｂ）、イエロー（Ｙ）、マゼンタ（Ｍ）、シアン（Ｃ）の現像剤としてのトナーを収容する現像装置６１７〜６２０が直線上に一列に着脱自在に配列されている。本実施の形態においては、各現像装置６１７〜６２０の構成は同一であり、収納されているトナーの色が異なる。
【００１４】
各現像装置６１７〜６２０の感光体ドラム２の周囲には、それぞれ回転方向の上流側から順に帯電ローラ３、ＬＥＤヘッド１７、現像ローラ６、及び転写ローラ１４等が配置されている。このうち、ＬＥＤヘッド１７は、アッパーカバー６０５に配設され、転写ローラ１４は、この現像装置６１７〜６２０を載置する装置本体側に配設されている。このように、各現像装置６１７〜６２０は、それぞれ一体的に形成され、画像形成装置６０１本体に対して着脱可能に構成されている。尚、上記したように、画像形成装置６０１の、用紙カセット６１２、現像装置６１７〜６２０、或いはアッパーカバー６０５のように、着脱可能な或いは可動な構成要素の個々に対して、その構成要素を除いた部分を画像形成装置本体と称す。
【００１５】
図２は、現像装置６１７の内部構成を、アッパーカバー６０５に備えられたＬＥＤヘッド１７、及び画像形成装置６０１の本体側に備えられた転写ローラ１４、転写べルト６１４と共に示す要部構成図である。各現像装置６１７〜６２０の内部構成は共通しているため、例えばブラックのトナーを収容する現像装置６１７を例に取り、これらの内部構成について図２の要部構成図を参照しながら説明する。
【００１６】
現像装置６１７は、後述するように、内部にトナーを収容する現像剤収容器としてのトナーカートリッジ１とこのトナーカートリッジ１を着脱自在に載置する現像器９から構成されている。現像器９の内部には感光体ドラム２が配設され、その周囲には、同図に矢印で示す回転方向の上流側から順に帯電ローラ３、アッパーカバー６０５（図１）に備えられたＬＥＤヘッド１７、現像ローラ６、及び画像形成装置６０１（図１）の本体側に備えられた転写ローラ１４等が配置されている。感光体ドラム２は、所定の回転速度で回転可能であり、表面に電荷を蓄えることができ、露光によって表面の電荷を除去することができる。帯電ローラ３は、所定電圧が印加されて感光体ドラム２の表面に一定の圧力で回転可能に接触して感光体ドラム２の表面を所定の電圧に帯電し、ＬＥＤヘッド１７は、帯電された感光体ドラム２の表面を選択的に露光して静電潜像を形成する。
【００１７】
トナーカートリッジ１は、現像器９の収容器装着部に相当する取り付け部１８に装着される。取り付け部１８には第３の開口に相当するトナー補給口４が設けられており、取り付け部１８の上面にはトナー補給口４を包囲する第２のシール部材としての封止材２０が配置されている。封止材２０の上面がトナーカートリッジ１のアウターカートリッジ１１に当接してトナーカートリッジ１と現像器９の間を外部から密封する。トナーカートリッジ１のシャッタ５を回動して開口部１３をアウターカートリッジ１１のトナー供給口１２に合わせることによりトナー供給口１２を開放し、現像器９のトナー補給口４を介して、アウターカートリッジ１１内のトナーを現像器９内に供給する。
【００１８】
現像器９内には、現像ローラ６に一定の圧力で接触して回転し、現像ローラ６にトナーカートリッジ１から供給されたトナーを供給するためのトナー供給ローラ８、トナー供給ローラ８によって現像ローラ６に供給されたトナーを一定の厚さに規制する現像ブレード７が配置されている。そして同じく現像器９内に配置された現像ローラ６は、感光体ドラム２に一定の圧力で接触し、感光体ドラム２に形成された静電潜像にトナーを付着させて現像する。弾性体で形成されたクリーニングブレード３６は、感光体ドラム２の表面に付着する残トナーを掻き落とすため、その先端エッジ部を感光体ドラム２の表面に一定の圧力で接触するように配置されている。
【００１９】
図１に示すように、上記した４つの現像装置６１７〜６２０の各感光体ドラム２に対向する位置には、それぞれ導電性のゴム等によって形成された転写ローラ１４が、記録用紙３１（図２）を静電吸収して搬送する転写ベルト６１４を介して圧接された状態で配設されている。これらの転写ローラ１４は、感光体ドラム２上のトナー現像を記録用紙３１（図２）に転写するが、この転写時に、各感光体ドラム２の表面電位とこれらの各感光体ドラムに対向して配置された各転写ローラ１４の表面電位に所定の電位差を持たせるための電位が印加される。
【００２０】
定着部５１６は、内部に加熱ローラとバックアップローラとを有し、記録用紙３１（図２）上に転写された転写済みトナー３２を加圧・加熱することによって定着する。ここで定着された記録用紙３１は、後段の用紙搬送ローラ６０９，６１０によってスタッカ６０６に搬送される。
【００２１】
図３は、本発明に基づく実施の形態１の現像装置６１７の要部構成を示す要部構成図であり、トナーカートリッジ１を現像器９から外した状態で示している。図３を参照しながら現像装置の構成について更に説明する。
【００２２】
同図に示すように、内部にトナー１５を収容する現像剤収容体としてのアウターカートリッジ１１は、第１の開口に相当するトナー供給ロ１２を有し、トナー供給口１２の開閉を行う円筒状のシャッタ５は、アウターカートリッジ１１のトナー供給口１２を形成する壁面内周に接して回転可能に配置される。尚、トナーカートリッジ１は、感光体ドラム２の軸方向において、例えば記録用紙幅を超える感光体ドラム２の幅と同程度の幅を有するもので、トナー供給口１２はトナーカートリッジ１の長手方向の略全域にわたって形成された長穴形状の開口である。
【００２３】
シャッタ５は、トナー供給口１２を閉じた閉鎖位置においてトナー供給口１２を包囲し、アウターカートリッジ１１の内周面に弾性接触する第１のシール部材としてのシールスポンジ１９を有し、シールスポンジ１９はトナー供給口１２を塞ぐシール部とこのシール部からシャッタ５の開方向（矢印Ａ方向）に延在する延長部１９ａを備える。シールスポンジ１９は両面接着テープによりシャッタ５に固定されている。また、シャッタ５は、トナー供給口１２を開けた開放位置（図４参照）において、トナー供給口１２に対向する第２の開口に相当する開ロ部１３を有し、ここではトナー供給口１２が開ロ部１３と略同じ大きさに形成されている。
【００２４】
以上の構成において、トナーカートリッジ１１のシャッタ５の開閉動作について、図３及び各段階での動作状態を示す動作説明図４，５を参照しながら以下に説明する。
【００２５】
図３は、本実施の形態において、トナーカートリッジ１と現像器９が未使用の状態を示す図であり、トナーカートリッジ１のシャッタ５がトナー供給口１２を閉じる閉鎖位置にある状態を示している。この時、トナーカートリッジ１の内部にトナー１５を収容するアウターカートリッジ１１のトナー供給口１２は、シャッタ５のシールスポンジ１９により塞がれている。更に、シールスポンジ１９は、シャッタ５の開方向の延長部１９ａまで伸びてトナー供給口１２を包囲している。このときアウターカートリッジ１１のトナー供給口１２のシャッタ５の開方向（矢印Ａ方向）端面からシールスポンジ１９の延長部１９ａの端部までの円弧上の距離をｄａとする。
【００２６】
シールスポンジ１９は、アウターカートリッジ１１の内周面に弾性接触しているのでシールスポンジ１９とアウターカートリッジ１１の間にトナー１５が入り込むことはないが、シャッタ５とアウターカートリッジ１１の内周面が直接接触する部分にはシール性はないのでトナー１５が入り込む。ここで、アウターカートリッジ１１のトナー供給口１２を包囲するシャッタ５のシールスポンジ１９が外部に露出している面１９ｂのシャッタ５の開方向端部をＢとする。
【００２７】
図４は、本実施の形態において、トナーカートリッジ１を現像器９に装着した状態を示す図であり、トナーカートリッジ１が現像器９の取り付け部１８に装着されている。この時、取り付け部１８に配置された封止材２０（図３参照）がトナーカートリッジ１のアウターカートリッジ１１に当接し、トナーカートリッジ１と現像器９の間が外部から密封される。図３に示すように、封止材２０は両面接着テープにより取り付け部１８の上面にトナー補給口４を包囲するように固定されている。
【００２８】
図示しない手段によって、シャッタ５が矢印Ａ方向に回動されて図３に示す閉鎖位置の状態から図４に示す開放位置まで移動すると、シャッタ５の開口部１３がアウターカートリッジ１１のトナー供給口１２と略一致し、トナーカートリッジ１内のトナー１５が現像器９の取り付け部１８に設けられたトナー補給ロ４を通って現像器９内に供給される。尚、トナー補給ロ４は、トナーカートリッジ１が現像器９に装着された状態でシャッタ５が開放位置とされた図４の状態のとき、シャッタ５の開口部１３と略一致する領域に形成された長穴形状の開口である。
【００２９】
シャッタ５の開放動作により、シールスポンジ１９は、図３に示す閉鎖位置の状態からアウターカートリッジ１１の内周面を摺動して図４に示す開放位置の状態まで移動するが、このときのシールスポンジ１９の露出面１９ｂの端部Ｂ（図３）が移動する位置の、アウターカートリッジ１１のトナー供給口１２のシャッタ５の開方向（矢印Ａ方向）端面からの円弧上の距離をｄｂとすると、ｄａ＞ｄｂの関係にある。一方、シャッタ５が図３に示す閉鎖位置にあるとき、距離ｄａまではシールスポンジ１９の延長部１９ａによりシールスポンジ１９とアウターカートリッジ１１の間にトナー１５が入り込むことはない。従って、シャッタ５を開放位置まで移動してもシールスポンジ１９の露出面１９ｂにトナー１５が付着することはない。
【００３０】
図５は、本実施の形態において、トナーカートリッジ１を現像器９から取り外した状態を示す図である。この時、シャッタ５を閉じて閉鎖位置に戻し、トナーカートリッジ１を取り外すが、前記したようにシールスポンジ１９の露出面１９ｂにトナー１５が付着しないので、内部のトナー１５がアウターカートリッジ１１のトナー供給口１２から漏れることはない。
【００３１】
図２１〜図２３は、比較例として、図３に示す本実施の形態のトナーカートリッジ１のシールスポンジ１９の延長部１９ａを除いたシールスポンジ１１９を備えたトナーカートリッジ３０１の構成及び動作を説明する比較図である。シールスポンジ以外の構成要素についてはトナーカートリッジ１と同じであるためここでの説明は省略する。
【００３２】
図２１は、比較例としてのトナーカートリッジ３０１と現像器９が未使用の状態を示す図であり、トナーカートリッジ３０１のシャッタ１０５がトナー供給口１２を閉じる閉鎖位置にある状態を示している。この時、トナーカートリッジ３０１の内部にトナー１５を収容するアウターカートリッジ１１のトナー供給口１２はシャッタ１０５のシールスポンジ１１９により塞がれている。このときアウターカートリッジ１１のトナー供給口１２のシャッタ１０５の開方向（矢印Ａ方向）端面からシールスポンジ１１９の端部までの距離をｄｄとする。ここで、アウターカートリッジ１１のトナー供給口１２を包囲するシャッタ１０５のシールスポンジ１１９が外部に露出している面１１９ｃのシャッタ１０５の開方向端部をＣとする。
【００３３】
図２２は、比較例において、トナーカートリッジ３０１を現像器９に装着した状態を示す図であり、トナーカートリッジ３０１が現像器９の取り付け部１８に装着されている。この時、取り付け部１８に配置された封止材２０（図３参照）がトナーカートリッジ３０１のアウターカートリッジ１１に当接し、トナーカートリッジ３０１と現像器９の間が外部から密封される。シャッタ１０５の開放動作によりシールスポンジ１１９は、図２１に示す閉鎖位置の状態からアウターカートリッジ１１の内周面に摺動して図２２に示す開放位置の状態まで移動するが、このときのシールスポンジ１１９の露出面１９ｃの端部Ｃ（図２１）が移動する位置の、アウターカートリッジ１１のトナー供給口１２のシャッタ１０５の開方向（矢印Ａ方向）端面からの円弧上の距離をｄｃとすると、ｄｄ＜ｄｃの関係にある。
【００３４】
距離ｄｄから距離ｄｃの間は、シャッタ１０５が閉鎖位置のときシャッタ１０５とアウターカートリッジ１１が直接接触している部分であってシール性がないのでトナーが入り込む領域に属している。従って、シールスポンジ１１９の露出面１１９ｃのうち、シャッタ１０５が開放位置において距離ｄｄから距離ｄｃの部分に相当する領域にはトナーが付着する。
【００３５】
図２２は、比較例において、トナーカートリッジ３０１を現像器９から取り外した状態を示す図である。この時、シャッタ１０５を閉じて閉鎖位置に戻し、トナーカートリッジ３０１を取り外すが、前記したようにシールスポンジ１１９の露出面１１９ｃにトナー１５が付着するため、この付着したトナーが飛散する。
【００３６】
以上の記述から明らかなように、本実施の形態の現像装置によれば、アウターカートリッジ１１のトナー供給ロ１２を塞ぐシャッタ５のシールスポンジ１９にシャッタ５の開方向に伸びる延長部１９ａを設け、シャッタ５が閉鎖位置のときのアウターカートリッジ１１のトナー供給口１２のシャッタ５の開方向端面からシールスポンジ１９の延長部１９ａの端部までの距離ｄａをシャッタ５が閉鎖位置のときのシールスポンジ１９の露出面１９ｂの端部Ｂがシャッタ５の開放位置まで移動したときの位置ｄｂより大きくしているため、シールスポンジ１９の露出面１９ｂにトナーが付着することがないのでシールスポンジ１９の表面からトナーが飛散することがなくなり汚れを防止できる。
【００３７】
実施の形態２．
図６は、本発明に基づく実施の形態２の画像形成装置における現像装置の要部構成を示す要部構成図であり、トナーカートリッジ１０１を現像器９から外した状態で示している。  
【００３８】
実施の形態２の画像形成装置が、前記した実施の形態１の画像形成装置６０１（図１）と主に異なる点は、現像装置におけるトナーカートリッジ１０１のシャッタ１０５及びトナー供給口１１２の形状のみである。従って、本実施の形態の画像形成装置が、前記した実施の形態１の画像形成装置６０１（図１）と共通する部分には同符号を付して、或いは図面を省いてここでの説明を省略し、異なる点を重点的に説明する。
【００３９】
図６に示すように、内部にトナー１５を収容するアウターカートリッジ１１１は、トナー供給口１１２を有し、トナー供給口１１２の開閉を行う円筒状のシャッタ１０５は、アウターカートリッジ１１１のトナー供給ロ１１２を形成する壁面内周に接して回転可能に配置される。尚、トナーカートリッジ１０１は、感光体ドラム２の軸方向において、例えば記録用紙幅を超える感光体ドラム２の幅と同程度の幅を有するもので、トナー供給口１１２はトナーカートリッジ１１１の長手方向の略全域にわたって形成される長穴形状の開口である。
【００４０】
シャッタ１０５は、トナー供給口１１２を閉じた閉鎖位置においてトナー供給口１１２を塞ぎ、アウターカートリッジ１１１の内周面に弾性接触するシールスポンジ１１９を有する。シールスポンジ１１９は両面接着テープによりシャッタ１０５に固定されている。また、シャッタ１０５は、トナー供給口１１２を開けた開放位置（図７参照）において、トナー供給口１１２と同じ位置に配設される開口部１１３を有する。ここではアウターカートリッジ１１１のトナー供給口１１２は、シャッタ１０５の開ロ部１１３よりも大きい開口となっている。ここでは長手方向に対する幅が広く設定されている。
【００４１】
以上の構成において、トナーカートリッジ１０１のシャッタ１０５の開閉動作について、図６及び各段階での動作状態を示す動作説明図７，８を参照しながら以下に説明する。
【００４２】
図６は、本実施の形態において、トナーカートリッジ１０１と現像器９が未使用の状態を示す図であり、トナーカートリッジ１０１のシャッタ１０５がトナー供給口１１２を閉じる閉鎖位置にある状態を示している。この時、トナーカートリッジ１０１の内部にトナー１５を収容するアウターカートリッジ１１１の、シャッタ１０５の開口部１１３より大きいトナー供給口１１２は、シャッタ１０５のシールスポンジ１１９により包囲されている。
【００４３】
図７は、本実施の形態において、トナーカートリッジ１０１を現像器９に装着した状態を示す図であり、トナーカートリッジ１０１が現像器９の取り付け部１８に装着されている。この時、取り付け部１８に配置された封止材２０（図６参照）がトナーカートリッジ１０１のアウターカートリッジ１１１に当接し、トナーカートリッジ１０１と現像器９の間が外部から密封される。図示しない手段によって、シャッタ１０５が矢印Ａ方向に回動されて図６に示す閉鎖位置の状態から図７に示す開放位置まで移動すると、シャッタ１０５の開口部１１３がアウターカートリッジ１１１のトナー供給口１１２と同じ位置に配設され、トナーカートリッジ１１１内のトナー１５が現像器９の取り付け部１８に設けられたトナー補給ロ４を通って現像器９内に供給される。
【００４４】
この時、シャッタ１０５の開ロ部１１３よりもアウターカートリッジ１１１のトナー供給口１１２の方が、幅が広くて大きい。つまり、トナー供給ロ１１２の内周面は、トナー１５の供給経路から引っ込んだ位置となる。これによって、トナーカートリッジ１０１内のトナー１５が現像器９内に供給されるとき、トナー供給口１１２の内周面にトナーが付着し難くなる。
【００４５】
図８は、本実施の形態において、トナーカートリッジ１０１を現像器９から取り出した状態を示す図である。この時、シャッタ１０５を閉じて閉鎖位置に戻し、トナーカートリッジ１０１を取り外すが、前記したように、アウターカートリッジ１１１のトナー供給口１１２の内周面へトナー１５が付着するのを抑えることができる。
【００４６】
以上のように、本実施の形態の現像装置によれば、アウターカートリッジ１１１のトナー供給口１１２をシャッタ１０５の開口部１１３よりも幅広く大きくすることにより、トナー供給口１１２の内周面へのトナーの付着を抑えられるので、トナー供給口１１２の内周面からトナーが飛散することか抑えられ汚れを抑制できる。
【００４７】
実施の形態３．
図９は、本発明に基づく実施の形態３の画像形成装置における現像装置の要部構成を示す要部構成図であり、トナーカートリッジ２０１を現像器９から外した状態で示している。
【００４８】
実施の形態３の画像形成装置が、前記した実施の形態１の画像形成装置６０１（図１）と主に異なる点は、現像装置におけるトナーカートリッジ２０１のシャッタ５の開口部１３に対してアウターカートリッジ１１１のトナー供給口１１２を大きくした点である。即ち、本実施の形態の現像装置は、前記実施の形態１の現像装置の延長部を備えたシールスポンジ１９と、前記実施の形態２の現像装置のシャッタ開口部よりも大きいトナー供給口１１２を合わせ持つものである。従って、本実施の形態の画像形成装置が、前記した実施の形態１、実施の形態２の各画像形成装置と共通する部分には同符号を付して、或いは図面を省いてここでの説明を省略し、異なる点を重点的に説明する。
【００４９】
図９に示すように、シャッタ５は、トナー供給口１１２を閉じた閉鎖位置においてトナー供給口１１２を包囲し、アウターカートリッジ１１１の内周面に弾性接触するシールスポンジ１９を有し、シールスポンジ１９はトナー供給口１２を塞ぐシール部とこのシール部からシャッタ５の開方向（矢印Ａ方向）に延在する延長部１９ａを備える。シールスポンジ１９は両面接着テープによりシャッタ５に固定されている。また、シャッタ５は、トナー供給口１１２を開けた開放位置（図１０参照）において、トナー供給口１１２と同じ位置に配設される開口部１３を有する。ここではアウターカートリッジ１１１のトナー供給口１１２は、シャッタ５の開ロ部１３よりも大きい開口となっている。ここでは長手方向に対する幅が広く設定されている。
【００５０】
以上の構成において、トナーカートリッジ２０１のシャッタ５の開閉動作について、図９及び各段階での動作状態を示す動作説明図１０，１１を参照しながら以下に説明する。
【００５１】
図９は、本実施の形態において、トナーカートリッジ２０１と現像器９が未使用の状態を示す図であり、トナーカートリッジ２０１のシャッタ５がトナー供給口１１２を閉じる閉鎖位置にある状態を示している。この時、トナーカートリッジ２０１の内部にトナー１５を収容するアウターカートリッジ１１１のトナー供給口１１２は、シャッタ５のシールスポンジ１９により塞がれている。更に、シールスポンジ１９は、シャッタ５の開方向の延長部１９ａまで伸びてトナー供給口１１２を包囲している。このときアウターカートリッジ１１１のトナー供給口１１２のシャッタ５の開方向（矢印Ａ方向）端面からシールスポンジ１９の延長部１９ａの端部までの円弧上の距離をｄａとする。
【００５２】
シールスポンジ１９は、アウターカートリッジ１１１の内周面に弾性接触しているのでシールスポンジ１９とアウターカートリッジ１１１の間にトナー１５が入り込むことはないが、シャッタ５とアウターカートリッジ１１１の内周面が直接接触する部分にはシール性はないのでトナー１５が入り込む。ここで、アウターカートリッジ１１１のトナー供給口１１２を包囲するシャッタ５のシールスポンジ１９が外部に露出している面１９ｂのシャッタ５の開方向端部をＢとする。
【００５３】
図１０は、本実施の形態において、トナーカートリッジ２０１を現像器９に装着した状態を示す図であり、トナーカートリッジ２０１が現像器９の取り付け部１８に装着されている。この時、取り付け部１８に配置された封止材２０（図９参照）がトナーカートリッジ２０１のアウターカートリッジ１１１に当接し、トナーカートリッジ２０１と現像器９の間が外部から密封される。図示しない手段によって、シャッタ５が矢印Ａ方向に回動されて図９に示す閉鎖位置の状態から図１０に示す開放位置まで移動すると、シャッタ５の開口部１３がアウターカートリッジ１１１のトナー供給口１１２と同じ位置に配設され、トナーカートリッジ１１１内のトナー１５が現像器９の取り付け部１８に設けられたトナー補給ロ４を通って現像器９内に供給される。
【００５４】
シャッタ５の開放動作によりシールスポンジ１９は、図９に示す閉鎖位置の状態からアウターカートリッジ１１１の内周面を摺動して図１０に示す開放位置の状態まで移動するが、このときのシールスポンジ１９の露出面１９ｂの端部Ｂ（図９）が移動する位置の、アウターカートリッジ１１１のトナー供給口１１２のシャッタ５の開方向（矢印Ａ方向）端面からの円弧上の距離をｄｂとすると、ｄａ＞ｄｂの関係にある。一方、シャッタ５が図９に示す閉鎖位置にあるとき、距離ｄａまではシールスポンジ１９の延長部１９ａによりシールスポンジ１９とアウターカートリッジ１１１の間にトナー１５が入り込むことはない。従って、シャッタ５を開放位置まで移動してもシールスポンジ１９の露出面１９ｂにトナーが付着することはない。
【００５５】
更に、シャッタ５の開ロ部１３よりもアウターカートリッジ１１１のトナー供給口１１２の方が、幅が広くて大きい。つまり、トナー供給ロ１１２の内周面は、トナー１５の供給経路から引っ込んだ位置となる。これによって、トナーカートリッジ２０１内のトナー１５が現像器９内に供給されるとき、トナー供給口１１２の内周面にトナーが付着し難くなる。
【００５６】
図１１は、本実施の形態において、トナーカートリッジ２０１を現像器９から取り外した状態を示す図である。この時、シャッタ５を閉じて閉鎖位置に戻し、トナーカートリッジ２０１を取り外すが、前記したようにシールスポンジ１９の露出面１９ｂにトナー１５が付着せず、しかもトナー供給口１１２の内周面にトナー１５が付着し難くなるので、内部のトナー１５がアウターカートリッジ１１１のトナー供給口１１２から漏れることはない。
【００５７】
以上のように、本実施の形態の現像装置によれば、シールスポンジ１９の露出面１９ｂにトナーが付着することがなく、更にトナー供給口１１２の内周面へのトナーの付着をも抑えられるので、トナーカートリッジ２０１からトナーが飛散し難くなり、汚れを防止できる。
【００５８】
実施の形態４．
図１２は、本発明に基づく実施の形態４の画像形成装置における現像装置の要部構成を示す要部構成図であり、トナーカートリッジ２０１を現像器１０９から外した状態で示している。
【００５９】
実施の形態４の画像形成装置が、前記した実施の形態１の画像形成装置６０１（図１）と主に異なる点は、現像装置におけるトナーカートリッジを前記した実施の形態３で説明したトナーカートリッジ２０１とし、現像器１０９が備える封止材１２０の形状及び配置位置を変えた点である。従って、本実施の形態の画像形成装置が、前記した実施の形態１の画像形成装置６０１（図１）及び実施の形態３の現像装置（図９）と共通する部分には同符号を付して、或いは図面を省いてここでの説明を省略し、異なる点を重点的に説明する。
【００６０】
図１２において、トナーカートリッジ２０１については、前記した実施の形態３で説明した通りなのでここでの説明は省略する。現像器１０９は、トナーカートリッジ２０１を装着する取り付け部１８の上面に封止材１２０を有する。この封止材１２０は、両面接着テープによりトナー補給口４を包囲するように固定されている。また封止材１２０は、断面が、トナーカートリッジ２０１のシャッタ５の開口部１３及び現像器１０９のトナー補給口４と略同じ大きさの内周面１２０ａを有し、且つトナー供給口１１２と同じ大きさの外周面１２０ｂを有している。
【００６１】
以上の構成おいて、トナーカートリッジ２０１のシャッタ５の開閉動作について、図１２及び各段階での動作状態を示す動作説明図１３，１４を参照しながら以下に説明する。
【００６２】
図１２は、本実施の形態において、トナーカートリッジ２０１と現像器１０９が未使用の状態を示す図であり、トナーカートリッジ２０１のシャッタ５がトナー供給口１１２を閉じる閉鎖位置にある状態を示している。この時、トナーカートリッジ２０１の内部にトナー１５を収容するアウターカートリッジ１１１のトナー供給口１１２は、シャッタ５のシールスポンジ１９により塞がれている。
【００６３】
図１３は、本実施の形態において、トナーカートリッジ２０１を現像器１０９に装着した状態を示す図であり、トナーカートリッジ２０１が現像器１０９の取り付け部１８に装着されている。この時、アウターカートリッジ１１１のトナー供給口１１２が、シャッタ５の開口部１３よりも大きく、且つ封止材１２０の外周面と略一致しているため、現像器１０９の封止材１２０がトナー供給口１１２内に入り、その上面がトナーカートリッジ２０１のシャッタ５、及びシャッタ５のシールスポンジ１９に当接し、トナーカートリッジ２０１と現像器１０９の間が外部から密封される。
【００６４】
図示しない手段によって、シャッタ５が矢印Ａ方向に回動されて図１２に示す閉鎖位置の状態から図１３に示す開放位置まで移動すると、シャッタ５の開口部１３がアウターカートリッジ１１１のトナー供給口１１２と同じ位置に配設され、断面において開ロ部１３の内周面と現像器１０９の封止材１２０の内周面１２０ａが略一致し、トナーカートリッジ２０１内のトナー１５が現像器１０９の取り付け部１８に設けられたトナー補給ロ４を通って現像器１０９内に供給される。
【００６５】
この時、実施の形態３で説明した理由によりシールスポンジ１９の露出面１９ｂにトナーが付着することがない。更にここでは、封止部材１２０が、トナー供給口１１２の内周面を覆い、且つシャッタ５に当接しているため、アウターカートリッジ１１１のトナー供給口１１２の内周面、及び現像器１０９の封止材１２０の上面と外周面にトナーが付着することはない。
【００６６】
図１４は、本実施の形態において、トナーカートリッジ２０１を現像器１０９から取り外した状態を示す図である。この時、シャッタ５を閉じて閉鎖位置に戻し、トナーカートリッジ２０１を取り外すが、前記したようにシールスポンジ１９の露出面１９ｂ及びトナー供給口１１２の内周面にはトナー１５が付着せず、更に現像器１０９の封止材１２０の上面と外周面にもトナー１５が付着しない。
【００６７】
尚、本実施の形態では、断面において、封止材１２０の外周面１２０ｂがトナー供給口１１２の内周面に略一致する構成について説明したが、これに限定されるものではなく、封止材１２０の外周面１２０ｂをトナー供給口１１２の内周面より小さい構成した場合でも同様の効果が得られる。
【００６８】
以上のように、本実施の形態の現像装置によれば、シールスポンジ１９の露出面１９ｂにトナーが付着することがなく、更にトナー供給口１１２の内周面にもトナーが付着することがないので、トナーカートリッジ２０１からトナーが飛散することがなくなり、汚れを防止できる。更に現像器１０９の取り付け部１８のトナー補給口４の周りにトナーが落下せずに残ってしまうといった不都合も解消できる。
【００６９】
実施の形態５．
図１５は、本発明に基づく実施の形態５の画像形成装置における現像装置の要部構成を示す要部構成図であり、トナーカートリッジ４０１を現像器１０９から外した状態で示している。
【００７０】
実施の形態５の画像形成装置が、前記した実施の形態１の画像形成装置６０１（図１）と主に異なる点は、現像装置における現像器として前記した実施の形態４で説明した現像器１０９を採用し、トナーカートリッジ４０１においては、前記した実施の形態２で説明したトナーカートリッジ１０１に対してトナー供給口２１２の形状を変えた点である。従って、本実施の形態の画像形成装置が、前記した実施の形態１の画像形成装置６０１（図１）及び実施の形態２，４の現像装置（図６，１２）と共通する部分には同符号を付して、或いは図面を省いてここでの説明を省略し、異なる点を重点的に説明する。
【００７１】
図１５において、現像器１０９については、前記した実施の形態４で説明した通りなのでここでの説明は省略する。同図に示すトナーカートリッジ４０１において、内部にトナー１５を収容するアウターカートリッジ２１１は、トナー供給口２１２を有する。トナー供給口２１２は、アウターカートリッジ２１１の内周面を頂点として外方に伸びる傾斜面、即ち面が外方に向いた傾斜面２１２ａをアウターカートリッジ２１１の外面に有する。傾斜面２１２ａの内周はシャッタ１０５の開口部１１３及び、現像器１０９の封止材１２０の内周面１２０ａの断面と略同じ大きさとし、且つ傾斜面２１２ａの外周は封止材１２０の外周面１２０ｂの断面と同じ大きさとなっている。
【００７２】
以上の構成おいて、トナーカートリッジ４０１のシャッタ１０５の開閉動作について、図１５及び各段階での動作状態を示す動作説明図１６，１７を参照しながら以下に説明する。
【００７３】
図１５は、本実施の形態において、トナーカートリッジ４０１と現像器１０９が未使用の状態を示す図であり、トナーカートリッジ４０１のシャッタ１０５がトナー供給口２１２を閉じる閉鎖位置にある状態を示している。この時、トナーカートリッジ４０１の内部にトナー１５を収容するアウターカートリッジ２１１のトナー供給口２１２は、シャッタ１０５のシールスポンジ１１９により塞がれている。
【００７４】
図１６は、本実施の形態において、トナーカートリッジ４０１を現像器１０９に装着した状態を示す図であり、トナーカートリッジ４０１が現像器１０９の取り付け部１８に装着されている。この時、トナー供給口２１２の傾斜面２１２ａの内周が現像器１０９の封止材１２０の内周面１２０ａの断面と略一致し、トナー供給口２１２の傾斜面２１２ａと封止材１２０の上面が当接してトナーカートリッジ４０１と現像器１０９の間が外部から密封される。
【００７５】
図示しない手段によって、シャッタ１０５が矢印Ａ方向に回動されて図１５に示す閉鎖位置の状態から図１６に示す開放位置まで移動すると、シャッタ１０５の開口部１１３がアウターカートリッジ２１１のトナー供給口２１２と略一致し、トナーカートリッジ４０１内のトナー１５が現像器１０９の取り付け部１８に設けられたトナー補給ロ４を通って現像器１０９内に供給される。
【００７６】
この時、封止部材１２０の上面がトナー供給口２１２の傾斜面２１２ａに当接しているため、トナー供給ロ２１２の傾斜面２１２ａと現像器１０９の封止材１２０の上面及び外周面にトナーが付着することはない。
【００７７】
図１７は、本実施の形態において、トナーカートリッジ４０１を現像器１０９から取り外した状態を示す図である。この時、シャッタ１０５を閉じて閉鎖位置に戻し、トナーカートリッジ４０１を取り外すが、前記したようにトナー供給口２１２の傾斜面２１２ａにはトナー１５が付着せず、更に現像器１０９の封止材１２０の上面と外周面にもトナー１５が付着しない。
【００７８】
以上のように、本実施の形態の現像装置によれば、トナー供給口２１２の傾斜面２１２ａにトナーが付着することがないので、傾斜面２１２ａからトナーが飛散することがなくなり、汚れを防止できる。更に現像器１０９の取り付け部１８のトナー補給口４の周りにトナーが落下せずに残ってしまうといった不都合も解消できる。
【００７９】
尚、本実施の形態では、シャッタに、例えば図３に示す延在部１９ａが形成されていないシールスポンジ１１９を備えたシャッタ１０５を採用したが、これに限定されるものではなく、例えば延在部１９ａが形成されたシールスポンジ１９を備えたシャッタ５（図３）採用することによって、シールスポンジ１９の露出面１９ｂにもトナーが付着しない効果も合わせて得ることができる。
【００８０】
実施の形態６．
図１８は、本発明に基づく実施の形態６の画像形成装置における現像装置の要部構成を示す要部構成図であり、トナーカートリッジ５０１を現像器１０９から外した状態で示している。
【００８１】
実施の形態６の画像形成装置が、前記した実施の形態１の画像形成装置６０１（図１）と主に異なる点は、現像装置における現像器として前記した実施の形態４で説明した現像器１０９を採用し、トナーカートリッジ５０１においては、前記した実施の形態５で説明したトナーカートリッジ４０１に対してトナー供給口３１２の形状を変えた点である。従って、本実施の形態の画像形成装置が、前記した実施の形態１の画像形成装置６０１（図１）及び実施の形態４，５の現像装置（図１２，１５）と共通する部分には同符号を付して、或いは図面を省いてここでの説明を省略し、異なる点を重点的に説明する。
【００８２】
図１８において、現像器１０９については、前記した実施の形態４で説明した通りなのでここでの説明は省略する。同図に示すトナーカートリッジ５０１において、内部にトナー１５を収容するアウターカートリッジ３１１は、トナー供給口３１２を有する。トナー供給口３１２のうち、シャッタ１０５の開方向（矢印Ａ方向）上流側のみ、アウターカートリッジ３１１の内周面を頂点とし外方に伸びる、即ち面が外方に向いた傾斜面３１２ａをアウターカートリッジ３１１の外面に有する。
【００８３】
このトナー供給口３１２は、シャッタ１０５が開放位置にあるとき、図１８及び図１９に示すように、傾斜面３１２ａの外周が現像器１０９の封止材１２０の外周側と一致し、傾斜面３１２ａの内周が現像器１０９の封止材１２０の内周側及びシャッタ１０５の開ロ部１１３の開方向（矢印Ａ方向）の上流側端部と略一致し、トナー供給口３１２の開方向（矢印Ａ方向）の下流側内周面３１２ｂは、現像器１０９の封止材１２０の外周側及びシャッタ１０５の開ロ部１１３の開方向（矢印Ａ方向）の下流側に略一致するように構成されている。
【００８４】
以上の構成おいて、トナーカートリッジ５０１のシャッタ１０５の開閉動作について、図１８及び各段階での動作状態を示す動作説明図１９，２０を参照しながら以下に説明する。
【００８５】
図１８は、本実施の形態において、トナーカートリッジ５０１と現像器１０９が未使用の状態を示す図であり、トナーカートリッジ５０１のシャッタ１０５がトナー供給口３１２を閉じる閉鎖位置にある状態を示している。この時、トナーカートリッジ５０１の内部にトナー１５を収容するアウターカートリッジ３１１のトナー供給口２１２は、シャッタ１０５のシールスポンジ１１９により塞がれている。
【００８６】
図１９は、本実施の形態において、トナーカートリッジ５０１を現像器１０９に装着した状態を示す図であり、トナーカートリッジ５０１が現像器１０９の取り付け部１８に装着されている。この時、トナー供給口３１２の傾斜面３１２ａの内周側が現像器１０９の封止材１２０の内周面１２０ａの断面と略一致し、トナー供給口３１２の傾斜面３１２ａと封止材１２０の上面が当接する。一方、トナー供給口３１２の開方向（矢印Ａ方向）の下流側では、現像器１０９の封止材１２０がトナー供給口３１２内に入り、その上面がトナーカートリッジ５０１のシャッタ１０５のシールスポンジ１１９に当接する。これによりトナーカートリッジ５０１と現像器１０９の間が密封される。
【００８７】
図示しない手段によって、シャッタ１０５が矢印Ａ方向に回動されて図１８に示す閉鎖位置の状態から図１９に示す開放位置まで移動すると、シャッタ１０５の開口部１１３の開方向（矢印Ａ方向）の上流側端部が傾斜面３１２ａの内周側及び現像器１０９の封止材１２０の内周面１２０ａの断面と一致し、シャッタ１０５の開口部１１３の開方向（矢印Ａ方向）の下流側端部が現像器１０９の封止材１２０の内周面１２０ａの断面と一致する。これによって、トナーカートリッジ５０１内のトナー１５が現像器１０９の取り付け部１８に設けられたトナー補給ロ４を通って現像器１０９内に供給される。
【００８８】
この時、封止部材１２０の上面がトナー供給口３１２の傾斜面３１２ａ、或いはシャッタ１０５のシールスポンジ１１９に当接しているため、トナーカートリッジ５０１のアウターカートリッジ３１１のトナー供給ロ３１２の傾斜面３１２ａ及び内周面３１２ｂと現像器１０９の封止材１２０の上面及び外周面にトナーが付着することはない。
【００８９】
図２０は、本実施の形態において、トナーカートリッジ５０１を現像器１０９から取り外した状態を示す図である。この時、シャッタ１０５を閉じて閉鎖位置に戻し、トナーカートリッジ５０１を取り外すが、前記したようにトナー供給口３１２の傾斜面３１２ａ及び内周面３１２ｂにはトナー１５が付着せず、更に現像器１０９の封止材１２０の上面と外周面にもトナー１５が付着しない。
【００９０】
以上のように、本実施の形態の現像装置によれば、トナー供給口３１２の傾斜面３１２ａ及び内周面３１２ｂにトナーが付着することがないので、傾斜面３１２ａ及び内周面３１２ｂからトナーが飛散することがなくなり、汚れを防止できる。更に現像器１０９の取り付け部１８のトナー補給口４の周りにトナーが落下せずに残ってしまうといった不都合も解消できる。
【００９１】
尚、本実施の形態では、シャッタに、例えば図３に示す延在部１９ａが形成されていないシールスポンジ１１９を備えたシャッタ１０５を採用したが、これに限定されるものではなく、例えば延在部１９ａが形成されたシールスポンジ１９を備えたシャッタ５（図３）採用することによって、シールスポンジ１９の露出面１９ｂにもトナーが付着しない効果も合わせて得えることができる。
【産業上の利用可能性】
【００９２】
前記した各実施の形態では、本発明の現像装置を画像形成装置に適用した例を示したが、複写機、ＦＡＸ、ＭＦＰにも適用可能である。
【図面の簡単な説明】
【００９３】
【図１】本発明に基づく実施の形態１の画像形成装置の要部構成を示す要部構成図である。
【図２】実施の形態１の現像装置の内部構成を、ＬＥＤヘッド、転写ローラ、及び転写ベルトと共に示す要部構成図である。
【図３】実施の形態１の現像装置の要部構成を示す要部構成図であり、トナーカートリッジを現像器から外した状態で示している。
【図４】実施の形態１のトナーカートリッジのシャッタの開閉動作状態を示す動作説明図である。
【図５】実施の形態１のトナーカートリッジのシャッタの開閉動作状態を示す動作説明図である。
【図６】実施の形態２の現像装置の要部構成を示す要部構成図であり、トナーカートリッジを現像器から外した状態で示している。
【図７】実施の形態２のトナーカートリッジのシャッタの開閉動作状態を示す動作説明図である。
【図８】実施の形態２のトナーカートリッジのシャッタの開閉動作状態を示す動作説明図である。
【図９】実施の形態３の現像装置の要部構成を示す要部構成図であり、トナーカートリッジを現像器から外した状態で示している。
【図１０】実施の形態３のトナーカートリッジのシャッタの開閉動作状態を示す動作説明図である。
【図１１】実施の形態３のトナーカートリッジのシャッタの開閉動作状態を示す動作説明図である。
【図１２】実施の形態４の現像装置の要部構成を示す要部構成図であり、トナーカートリッジを現像器から外した状態で示している。
【図１３】実施の形態４のトナーカートリッジのシャッタの開閉動作状態を示す動作説明図である。
【図１４】実施の形態４のトナーカートリッジのシャッタの開閉動作状態を示す動作説明図である。
【図１５】実施の形態５の現像装置の要部構成を示す要部構成図であり、トナーカートリッジを現像器から外した状態で示している。
【図１６】実施の形態５のトナーカートリッジのシャッタの開閉動作状態を示す動作説明図である。
【図１７】実施の形態５のトナーカートリッジのシャッタの開閉動作状態を示す動作説明図である。
【図１８】実施の形態６の現像装置の要部構成を示す要部構成図であり、トナーカートリッジを現像器から外した状態で示している。
【図１９】実施の形態６のトナーカートリッジのシャッタの開閉動作状態を示す動作説明図である。
【図２０】実施の形態６のトナーカートリッジのシャッタの開閉動作状態を示す動作説明図である。
【図２１】比較例の現像装置の要部構成を示す要部構成図であり、トナーカートリッジを現像器から外した状態で示している。
【図２２】比較例のトナーカートリッジのシャッタの開閉動作状態を示す動作説明図である。
【図２３】比較例のトナーカートリッジのシャッタの開閉動作状態を示す動作説明図である。
【符号の説明】
【００９４】
１，１０１，２０１，３０１，４０１，５０１  トナーカートリッジ、
２  感光体ドラム、
３  帯電ローラ、
４  トナー補給口、
５，１０５  シャッタ、
６  現像ローラ、
７  現像ブレード、
８  トナー供給ローラ、
９，１０９  現像器、
１１，１１１，２１１，３１１  アウターカートリッジ、
１２，１１２，２１２，３１２  トナー供給口、
１３，１１３  開口部、
１４  転写ローラ、
１５  トナー、
１７  ＬＥＤヘッド、
１８  取り付け部、
１９，１１９  シールスポンジ、
１９ａ  延長部、
１９ｂ，１１９ｃ  露出面、
２０，１２０  封止材、
３１  記録用紙、
３２  転写済みトナー、
３６  クリーニングブレード、
１２０ａ，３１２ｂ  内周面、
１２０ｂ  外周面、
２１２ａ，３１２ａ  傾斜面、
６０１  画像形成装置、
６０２  ロワーカバー、
６０５  アッパーカバー、
６０６  スタッカ、
６０７，６０８，６０９，６１０  給紙ローラ、
６１１  用紙搬送路、
６１２  給紙カセット、
６１３  用紙繰り出し部、
６１４  転写ベルト、
６１５  転写ベルトユニット、
６１６  定着部、
６１７，６１８，６１９，６２０  現像装置。
【図１】
2008209865.tif 000003
【図２】
2008209865.tif 000004
【図３】
2008209865.tif 000005
【図４】
2008209865.tif 000006
【図５】
2008209865.tif 000007
【図６】
2008209865.tif 000008
【図７】
2008209865.tif 000009
【図８】
2008209865.tif 000010
【図９】
2008209865.tif 000011
【図１０】
2008209865.tif 000012
【図１１】
2008209865.tif 000013
【図１２】
2008209865.tif 000014
【図１３】
2008209865.tif 000015
【図１４】
2008209865.tif 000016
【図１５】
2008209865.tif 000017
【図１６】
2008209865.tif 000018
【図１７】
2008209865.tif 000019
【図１８】
2008209865.tif 000020
【図１９】
2008209865.tif 000021
【図２０】
2008209865.tif 000022
【図２１】
2008209865.tif 000023
【図２２】
2008209865.tif 000024
【図２３】
2008209865.tif 000025